(57)【要約】【課題】ＩＰテレビ電話の使用時に通信相手との間で計測した伝送速度に応じて簡便に伝送画像容量を適正容量に制御することができ、画像の乱れを未然に防ぐことができるＩＰテレビ電話機を提供することを目的とする。【解決手段】ＩＰテレビ電話の機能を有するＩＰテレビ電話部１、４〜６、１０〜１３と、ＩＰテレビ電話部での呼び出し時に通信相手との間の伝送速度を計測する伝送速度計測部２と、伝送速度計測部で計測した伝送速度に応じて送信画像のサイズを変更する画像処理部３とを有する。【選択図】  図１
2004312130.tif 000002
【特許請求の範囲】
【請求項１】
ＩＰテレビ電話の機能を有するＩＰテレビ電話部と、前記ＩＰテレビ電話部での呼び出し時に通信相手との間の伝送速度を計測する伝送速度計測部と、前記伝送速度計測部で計測した伝送速度に応じて送信画像のサイズを変更する画像処理部とを有することを特徴とするＩＰテレビ電話機。
【請求項２】
ＩＰテレビ電話の機能を有するＩＰテレビ電話部と、前記ＩＰテレビ電話部での呼び出し時に通信相手との間の伝送速度を計測する伝送速度計測部と、前記伝送速度計測部で計測した伝送速度に応じて送信画像の色数を変更する画像処理部とを有することを特徴とするＩＰテレビ電話機。
【請求項３】
ＩＰテレビ電話の機能を有するＩＰテレビ電話部と、前記ＩＰテレビ電話部での呼び出し時に通信相手との間の伝送速度を計測する伝送速度計測部と、前記伝送速度計測部で計測した伝送速度に応じて画像圧縮率を変更する画像処理部とを有することを特徴とするＩＰテレビ電話機。
【請求項４】
ＩＰテレビ電話の機能を有するＩＰテレビ電話部と、前記ＩＰテレビ電話部での呼び出し時に通信相手との間の伝送速度を計測する伝送速度計測部と、前記伝送速度計測部で計測した伝送速度に応じて送信画像のフレーム数を変更する画像処理部とを有することを特徴とするＩＰテレビ電話機。
【請求項５】
ＩＰテレビ電話の機能を有するＩＰテレビ電話部と、通話中に連続的もしくは断続的に通信相手との間の伝送速度を計測する伝送速度計測部と、前記伝送速度計測部で計測した伝送速度に応じて送信画像のサイズ、送信画像の色数、画像圧縮率もしくは送信画像のフレーム数を変更する画像処理部とを有することを特徴とするＩＰテレビ電話機。
【発明の詳細な説明】
【０００１】
【発明の属する技術分野】
本発明は、ＩＰテレビ電話の機能を有するＩＰテレビ電話機に関するものである。
【０００２】
【従来の技術】
従来、ＩＰテレビ電話機では、使用前に送信する画像のフレーム数やサイズを設定し、画像の乱れを防止する対策が施されている。
【０００３】
また、各パケツトデ−タの先頭部分に、初期画面要求や画面モ−ド切替え等の至急情報ビツトを設け、画像情報に誤りがある等の場合に速やかに相手端末に通知する技術が公知である（例えば特許文献１参照）。特許文献１には、１画面の画像情報内の各パケツトデ−タの先頭部分に初期画面要求ビットが設けられている。
【０００４】
【特許文献１】
特開平０１−１５１８９０号公報
【０００５】
【発明が解決しようとする課題】
しかしながら、上記従来のＩＰテレビ電話機では、設定した送信画像フレーム数や送信画像サイズの値によっては、画像が乱れたり、画質が低下したりして、設定値を適正に設定することが困難であると共に設定作業が煩わしいという問題点を有していた。
【０００６】
このＩＰテレビ電話機では、ＩＰテレビ電話の使用時に通信相手との間の伝送速度を計測し、その計測結果に応じて簡便に伝送画像容量を適正容量に制御することができ、画像の乱れを未然に防ぐことができることが要求されている。
【０００７】
本発明は、ＩＰテレビ電話の使用時に通信相手との間で計測した伝送速度に応じて簡便に伝送画像容量を適正容量に制御することができ、画像の乱れを未然に防ぐことができるＩＰテレビ電話機を提供することを目的とする。
【０００８】
【課題を解決するための手段】
上記課題を解決するために本発明のＩＰテレビ電話機は、ＩＰテレビ電話の機能を有するＩＰテレビ電話部と、ＩＰテレビ電話部での呼び出し時に通信相手との間の伝送速度を計測する伝送速度計測部と、伝送速度計測部で計測した伝送速度に応じて送信画像のサイズを変更する画像処理部とを有する構成を備えている。
【０００９】
これにより、ＩＰテレビ電話の使用時に通信相手との間で計測した伝送速度に応じて簡便に伝送画像容量を適正容量に制御することができ、画像の乱れを未然に防ぐことができるＩＰテレビ電話機が得られる。
【００１０】
【発明の実施の形態】
本発明の請求項１に記載のＩＰテレビ電話機は、ＩＰテレビ電話の機能を有するＩＰテレビ電話部と、ＩＰテレビ電話部での呼び出し時に通信相手との間の伝送速度を計測する伝送速度計測部と、伝送速度計測部で計測した伝送速度に応じて送信画像のサイズを変更する画像処理部とを有することとしたものである。
【００１１】
この構成により、計測によって取得した伝送速度に応じて送信画像のサイズを変更することができるので、簡便に伝送画像容量を適正容量に制御することができ、画像の乱れを未然に防止することができるという作用を有する。
【００１２】
請求項２に記載のＩＰテレビ電話機は、ＩＰテレビ電話の機能を有するＩＰテレビ電話部と、ＩＰテレビ電話部での呼び出し時に通信相手との間の伝送速度を計測する伝送速度計測部と、伝送速度計測部で計測した伝送速度に応じて送信画像の色数を変更する画像処理部とを有することとしたものである。
【００１３】
この構成により、計測によって取得した伝送速度に応じて送信画像の色数を変更することができるので、簡便に伝送画像容量を適正容量に制御することができ、画像の乱れを未然に防止することができるという作用を有する。
【００１４】
請求項３に記載のＩＰテレビ電話機は、ＩＰテレビ電話の機能を有するＩＰテレビ電話部と、ＩＰテレビ電話部での呼び出し時に通信相手との間の伝送速度を計測する伝送速度計測部と、伝送速度計測部で計測した伝送速度に応じて画像圧縮率を変更する画像処理部とを有することとしたものである。
【００１５】
この構成により、計測によって取得した伝送速度に応じて画像圧縮率を変更することができるので、簡便に伝送画像容量を適正容量に制御することができ、画像の乱れを未然に防止することができるという作用を有する。
【００１６】
請求項４に記載のＩＰテレビ電話機は、ＩＰテレビ電話の機能を有するＩＰテレビ電話部と、ＩＰテレビ電話部での呼び出し時に通信相手との間の伝送速度を計測する伝送速度計測部と、伝送速度計測部で計測した伝送速度に応じて送信画像のフレーム数を変更する画像処理部とを有することとしたものである。
【００１７】
この構成により、計測によって取得した伝送速度に応じて送信画像のフレーム数を変更することができるので、簡便に伝送画像容量を適正容量に制御することができ、画像の乱れを未然に防止することができるという作用を有する。
【００１８】
請求項５に記載のＩＰテレビ電話機は、ＩＰテレビ電話の機能を有するＩＰテレビ電話部と、通話中に連続的もしくは断続的に通信相手との間の伝送速度を計測する伝送速度計測部と、伝送速度計測部で計測した伝送速度に応じて送信画像のサイズ、送信画像の色数、画像圧縮率もしくは送信画像のフレーム数を変更する画像処理部とを有することとしたものである。
【００１９】
この構成により、通話中に連続的もしくは断続的に計測して取得した伝送速度に応じて送信画像のサイズ、送信画像の色数、画像圧縮率もしくは送信画像のフレーム数を変更することができるので、通話中の伝送速度に応じて伝送画像容量を簡便かつ適正容量に制御することができ、画像の乱れを未然に防止することができるという作用を有する。
【００２０】
以下、本発明の実施の形態について、図１〜図６を用いて説明する。
【００２１】
（実施の形態１）
図１は、本発明の実施の形態１によるＩＰテレビ電話機を示すブロック図であり、請求項１〜４の記載に対応するものである。
【００２２】
図１において、１はユーザによる電話番号入力や操作キー入力などを行うキー入力部、２は発呼機（発呼側ＩＰテレビ電話機）と着呼機（着呼側ＩＰテレビ電話機）との間の伝送速度を計測する伝送速度計測部、３は計測した伝送速度によって伝送画像容量を変更する画像処理部、４は送信や受信などのＩＰ通信を行う通信部、５は時間を計測するタイマ部、６は映像を取り込むカメラ、１０はＩＰテレビ電話機全体を統括制御する制御部、１１はＬＣＤ等で構成される表示部、１２はスピーカ等で構成され、受信した音声データを出力する音声出力部、１３はマイク等で構成される音声入力部である。ここで、キー入力部１、通信部４、タイマ部５、カメラ６、制御部１０、表示部１１、音声出力部１２、音声入力部１３はＩＰテレビ電話部を構成する。
【００２３】
以上のように構成されたＩＰテレビ電話機について、その動作を図２を用いて説明する。図２は、図１のＩＰテレビ電話機の動作を示すフローチャートである。
【００２４】
図２において、まず、発呼者がキー入力部１より電話番号を入力する（Ｓ１）。次に、通信部４は入力された電話番号を発呼する（Ｓ２）。次に、伝送速度計測部２は伝送速度計測用パケットを通信部４より着呼機に送信し、タイマ部５はタイマをスタートする（Ｓ３）。通信部４はステップＳ３で送信した伝送速度計測用パケットに対する着呼機からの応答パケットを受信し、伝送速度計測部２は上記応答パケットを通信部４から取得し、ステップＳ３でスタートしたタイマをストップする（Ｓ４）。次に、伝送速度計測部２は、伝送速度計測用パケットとその応答パケットのサイズと送信してから受信するまでの時間とから伝送速度を算出する（Ｓ５）。次に、通話を開始する（Ｓ６）。次に、画像処理部３は、カメラ６から取り込んだ映像の画像サイズを伝送速度計測部２によって算出した伝送速度に応じて変更する（Ｓ７）。次に、通信部４は、画像処理部３で画像処理された映像を着呼機に送信する（Ｓ８）。次に、制御部１０は接続が解除されたか否かを判定し（Ｓ９）、接続が解除された場合には処理を終了し、そうでない場合にはステップＳ７へ戻る。
【００２５】
なお、ステップＳ７では送信画像のサイズを変更して伝送画像容量を適正に制御するようにしたが、本発明はこれに限らず、送信画像の色数や画像圧縮率、送信画像のフレーム数を変更するようにしてもよい。
【００２６】
図３は、本発明の実施の形態１における発呼機８と着呼機９との間の動作を示すシーケンス図である。
【００２７】
図３において、発呼機８は着呼機９に対して、発呼者が入力した電話番号との通話を開始するための信号を送信する（Ｓ１１）。着呼機９は発呼機８に対して、呼び出し中であることを通知するための信号を送信する（Ｓ１２）。次に、発呼機８は着呼機９に対して、伝送速度を計測するための伝送速度計測用パケットを送信する（Ｓ１３）。着呼機９は発呼機８に対して、受信した伝送速度計測用パケットに対する応答パケットを送信する（Ｓ１４）。次に、着呼機９は発呼機８に対して、着呼者が受話器を取ったら（通話可能状態になったら）、通話可能であることを通知する信号を送信する（Ｓ１５）。そして、通話が開始される（Ｓ１６）。
【００２８】
以上のように本実施の形態によれば、ＩＰテレビ電話の機能を有するＩＰテレビ電話部１、４〜６、１０〜１３と、ＩＰテレビ電話部での呼び出し時に通信相手との間の伝送速度を計測する伝送速度計測部２と、伝送速度計測部２で計測した伝送速度に応じて送信画像のサイズを変更する画像処理部３とを有することにより、計測によって取得した伝送速度に応じて送信画像のサイズを変更することができるので、簡便に伝送画像容量を適正容量に制御することができ、画像の乱れを未然に防止することができる。
【００２９】
また、計測によって取得した伝送速度に応じて送信画像の色数を変更することができるので、簡便に伝送画像容量を適正容量に制御することができ、画像の乱れを未然に防止することができる。
【００３０】
さらに、計測によって取得した伝送速度に応じて画像圧縮率を変更することができるので、簡便に伝送画像容量を適正容量に制御することができ、画像の乱れを未然に防止することができる。
【００３１】
さらに、計測によって取得した伝送速度に応じて送信画像のフレーム数を変更することができるので、簡便に伝送画像容量を適正容量に制御することができ、画像の乱れを未然に防止することができる。
【００３２】
（実施の形態２）
図４は、本発明の実施の形態２によるＩＰテレビ電話機を示すブロック図であり、請求項５の記載に対応するものである。
【００３３】
図４において、１はユーザによる電話番号入力や操作キー入力などを行うキー入力部、２は発呼機（発呼側ＩＰテレビ電話機）と着呼機（着呼側ＩＰテレビ電話機）との間の伝送速度を計測する伝送速度計測部、３は計測した伝送速度によって伝送画像容量を変更する画像処理部、４は送信や受信などのＩＰ通信を行う通信部、５は時間を計測するタイマ部、６は映像を取り込むカメラ、７は伝送速度を計測するまでの時間間隔を記憶する伝送速度計測間隔記憶部、１０はＩＰテレビ電話機全体を統括制御する制御部、１１はＬＣＤ等で構成される表示部、１２はスピーカ等で構成され、受信した音声データを出力する音声出力部、１３はマイク等で構成される音声入力部である。ここで、キー入力部１、通信部４、タイマ部５、カメラ６、制御部１０、表示部１１、音声出力部１２、音声入力部１３はＩＰテレビ電話部を構成する。
【００３４】
以上のように構成されたＩＰテレビ電話機について、その動作を図５を用いて説明する。図５は、図４のＩＰテレビ電話機の動作を示すフローチャートである。
【００３５】
図５において、まず、発呼者がキー入力部１より電話番号を入力する（Ｓ２１）。次に、通信部４は入力された電話番号を発呼する（Ｓ２２）。次に、通話を開始する（Ｓ２３）。次に、伝送速度計測部２は伝送速度計測用パケットを通信部４より着呼機に送信し、タイマ部５はタイマをスタートする（Ｓ２４）。通信部４はステップＳ２４で送信した伝送速度計測用パケットに対する着呼機からの応答パケットを受信し、伝送速度計測部２は上記応答パケットを通信部４から取得し、ステップＳ２４でスタートしたタイマをストップする（Ｓ２５）。次に、伝送速度計測部２は、伝送速度計測用パケットとその応答パケットのサイズと送信してから受信するまでの時間とから伝送速度を算出する（Ｓ２６）。次に、画像処理部３は、カメラ６から取り込んだ映像の画像サイズを伝送速度計測部２によって算出した伝送速度に応じて変更する（Ｓ２７）。次に、通信部４は、画像処理部３で画像処理された映像を着呼機に送信する（Ｓ２８）。次に、制御部１０は接続が解除されたか否かを判定し（Ｓ２９）、接続が解除された場合には処理を終了し、そうでない場合には次のステップＳ３０へ移行する。ステップＳ３０では、制御部１０は、予め伝送速度計測間隔記憶部７に設定している一定時間が経過したか否かをタイマ部５の計測に基づいて判定し、一定時間が経過したと判定した場合にはステップＳ２４へ戻り、そうでない場合にはステップＳ２７へ戻る。ここで、予め伝送速度計測間隔記憶部７に設定している時間がゼロであれば、連続的に伝送速度を計測することができる。
【００３６】
なお、ステップＳ２７では送信画像のサイズを変更して伝送画像容量を適正に制御するようにしたが、本発明はこれに限らず、送信画像の色数や画像圧縮率、送信画像のフレーム数を変更するようにしてもよい。
【００３７】
図６は、本発明の実施の形態２における発呼機８と着呼機９との間の動作を示すシーケンス図である。
【００３８】
図３において、発呼機８は着呼機９に対して、発呼者が入力した電話番号との通話を開始するための信号を送信する（Ｓ３１）。着呼機９は発呼機８に対して、呼び出し中であることを通知するための信号を送信する（Ｓ３２）。次に、着呼機９は発呼機８に対して、着呼者が受話器を取ったら（通話可能状態になったら）、通話可能であることを通知する信号を送信し（Ｓ３３）、これにより通話が開始される（Ｓ３４）。次に、発呼機８は着呼機９に対して、伝送速度を計測するための伝送速度計測用パケットを送信する（Ｓ３５）。次に、着呼機９が伝送速度計測用パケットを受信したら、着呼機９は発呼機８に対して、受信した伝送速度計測用パケットに対する応答パケットを送信する（Ｓ３６）。通話中にステップＳ３５、Ｓ３６を繰り返す。
【００３９】
以上のように本実施の形態によれば、ＩＰテレビ電話の機能を有するＩＰテレビ電話部１、４〜６、１０〜１３と、通話中に連続的もしくは断続的に通信相手との間の伝送速度を計測する伝送速度計測部２と、伝送速度計測部２で計測した伝送速度に応じて送信画像のサイズ、送信画像の色数、画像圧縮率もしくは送信画像のフレーム数を変更する画像処理部３とを有することにより、通話中に連続的もしくは断続的に計測して取得した伝送速度に応じて送信画像のサイズ、送信画像の色数、画像圧縮率もしくは送信画像のフレーム数を変更することができるので、通話中の伝送速度に応じて伝送画像容量を簡便かつ適正容量に制御することができ、画像の乱れを未然に防止することができる。
【００４０】
【発明の効果】
以上説明したように本発明の請求項１に記載のＩＰテレビ電話機によれば、ＩＰテレビ電話の機能を有するＩＰテレビ電話部と、ＩＰテレビ電話部での呼び出し時に通信相手との間の伝送速度を計測する伝送速度計測部と、伝送速度計測部で計測した伝送速度に応じて送信画像のサイズを変更する画像処理部とを有することにより、計測によって取得した伝送速度に応じて送信画像のサイズを変更することができるので、簡便に伝送画像容量を適正容量に制御することができ、画像の乱れを未然に防止することができるという有利な効果が得られる。
【００４１】
請求項２に記載のＩＰテレビ電話機によれば、ＩＰテレビ電話の機能を有するＩＰテレビ電話部と、ＩＰテレビ電話部での呼び出し時に通信相手との間の伝送速度を計測する伝送速度計測部と、伝送速度計測部で計測した伝送速度に応じて送信画像の色数を変更する画像処理部とを有することにより、計測によって取得した伝送速度に応じて送信画像の色数を変更することができるので、簡便に伝送画像容量を適正容量に制御することができ、画像の乱れを未然に防止することができるという有利な効果が得られる。
【００４２】
請求項３に記載のＩＰテレビ電話機によれば、ＩＰテレビ電話の機能を有するＩＰテレビ電話部と、ＩＰテレビ電話部での呼び出し時に通信相手との間の伝送速度を計測する伝送速度計測部と、伝送速度計測部で計測した伝送速度に応じて画像圧縮率を変更する画像処理部とを有することにより、計測によって取得した伝送速度に応じて画像圧縮率を変更することができるので、簡便に伝送画像容量を適正容量に制御することができ、画像の乱れを未然に防止することができるという有利な効果が得られる。
【００４３】
請求項４に記載のＩＰテレビ電話機によれば、ＩＰテレビ電話の機能を有するＩＰテレビ電話部と、ＩＰテレビ電話部での呼び出し時に通信相手との間の伝送速度を計測する伝送速度計測部と、伝送速度計測部で計測した伝送速度に応じて送信画像のフレーム数を変更する画像処理部とを有することにより、計測によって取得した伝送速度に応じて送信画像のフレーム数を変更することができるので、簡便に伝送画像容量を適正容量に制御することができ、画像の乱れを未然に防止することができるという有利な効果が得られる。
【００４４】
請求項５に記載のＩＰテレビ電話機によれば、ＩＰテレビ電話の機能を有するＩＰテレビ電話部と、通話中に連続的もしくは断続的に通信相手との間の伝送速度を計測する伝送速度計測部と、伝送速度計測部で計測した伝送速度に応じて送信画像のサイズ、送信画像の色数、画像圧縮率もしくは送信画像のフレーム数を変更する画像処理部とを有することにより、通話中に連続的もしくは断続的に計測して取得した伝送速度に応じて送信画像のサイズ、送信画像の色数、画像圧縮率もしくは送信画像のフレーム数を変更することができるので、通話中の伝送速度に応じて伝送画像容量を簡便かつ適正容量に制御することができ、画像の乱れを未然に防止することができるという有利な効果が得られる。
【図面の簡単な説明】
【図１】本発明の実施の形態１によるＩＰテレビ電話機を示すブロック図
【図２】図１のＩＰテレビ電話機の動作を示すフローチャート
【図３】本発明の実施の形態１における発呼機と着呼機との間の動作を示すシーケンス図
【図４】本発明の実施の形態２によるＩＰテレビ電話機を示すブロック図
【図５】図４のＩＰテレビ電話機の動作を示すフローチャート
【図６】本発明の実施の形態２における発呼機と着呼機との間の動作を示すシーケンス図
【符号の説明】
１  キー入力部
２  伝送速度計測部
３  画像処理部
４  通信部
５  タイマ部
６  カメラ
７  伝送速度計測間隔記憶部
８  発呼機（発呼側ＩＰテレビ電話機）
９  着呼機（着呼側ＩＰテレビ電話機）
１０  制御部
１１  表示部
１２  音声出力部
１３  音声入力部
【図１】
2004312130.tif 000003
【図２】
2004312130.tif 000004
【図３】
2004312130.tif 000005
【図４】
2004312130.tif 000006
【図５】
2004312130.tif 000007
【図６】
2004312130.tif 000008